(57)【要約】  【課題】  陽極における発熱を可及的に低減し、また、ディフューザを設けることなく、均一な照明が行なえるようにする。さらに、透明導電膜による電極を不要とする。  【解決手段】  電子放出陰極に対向する陽極材料として、紙原料に対して、炭素繊維とガラス繊維とを編んだ混合繊維７を混抄した炭素繊維混抄紙８を用い、この炭素繊維混抄紙８に蛍光体を塗布するとともに、電極９を設けている。  【選択図】      図２
2005071682.tif 000002
【特許請求の範囲】
【請求項１】
電子放出陰極と、蛍光体を有する陽極とを備える照明装置であって、
前記陽極の材料は、炭素繊維を含むことを特徴とする特徴とする照明装置。
【請求項２】
前記陽極の材料は、紙原料に炭素繊維を混抄して得られた炭素繊維混抄紙である請求項１記載の照明装置。
【請求項３】
前記炭素繊維混抄紙は、前記炭素繊維に加えてガラス繊維を共に混抄したものである請求項２記載の照明装置。
【請求項４】
前記蛍光体は、前記炭素繊維混抄紙に塗布されたものである請求項２または３記載の照明装置。
【請求項５】
前記蛍光体は、前記紙原料に混合されたものである請求項２または３記載の照明装置。
【請求項６】
前記陽極の材料は、炭素繊維とガラス繊維とを含む混合繊維体である請求項１記載の照明装置。
【請求項７】
前記混合繊維体は、前記炭素繊維と前記ガラス繊維とを編むまたは織ったものである請求項６記載の照明装置。
【請求項８】
前記蛍光体は、前記混合繊維体に塗布されたものである請求項６または７記載の照明装置。
【発明の詳細な説明】
【技術分野】
【０００１】
本発明は、照明装置に関し、更に詳しくは、電界放射型の電子放出源を用いた照明装置に関する。
【背景技術】
【０００２】
近年、薄型の照明装置として、真空中で電界をかけることで電子放出陰極から電子を放出させ、陽極に塗布した蛍光体に衝突させて発光させるものが提案されている（例えば、特許文献１参照）。
【特許文献１】特開２００１−１５０７７号公報
【発明の開示】
【発明が解決しようとする課題】
【０００３】
かかる照明装置では、ガラス基板などに透明導電膜（ＩＴＯ）および蛍光体が形成されて陽極が構成されているが、電子放出陰極から放出されて加速された電子が、蛍光体に衝突して発光するとともに、陽極に剰余のエネルギーを与えて発熱させることになる。特に、明るく発光させるために、陽極と陰極との間に高電圧を印加すると、この発熱は、一層顕著なものとなり、発熱によって、照明装置が破損する場合がある。
【０００４】
また、発光が均一でない場合には、陽極には、さらに、ディフューザを設けて光を拡散させて均一な発光にする必要がある。
【０００５】
本発明は、上述のような点に鑑みて為されたものであって、陽極における発熱を可及的に低減することを主たる目的とし、さらには、ディフューザを設けることなく、均一な照明が行なえるようにすることを目的とする。
【課題を解決するための手段】
【０００６】
本発明では、上述の目的を達成するために、次のように構成している。
【０００７】
すなわち、本発明の照明装置は、電子放出陰極と、蛍光体を有する陽極とを備える照明装置であって、前記陽極の材料は、炭素繊維を含むものである。
【０００８】
本発明によると、陽極の材料は、炭素繊維を含んでいるので、電子放出陰極から放出された電子が、陽極に衝突して発熱しても熱伝導性の良好な炭素繊維によって放熱されることになり、さらに、炭素繊維は、導電性を有しているので、従来のように透明導電膜を形成することなく、炭素繊維を電極として用いることができる。
【０００９】
本発明の好ましい実施態様においては、前記陽極の材料は、紙原料に炭素繊維を混抄して得られた炭素繊維混抄紙である。
【００１０】
この実施態様によると、陽極の材料を、紙原料に炭素繊維を混抄して得られた炭素繊維混抄紙としているので、従来のガラス基板などに比べて密度が低くく、電子が衝突した際の発熱も少なくなり、陽極における発熱を低減することができる。さらに、混抄紙、すなわち、紙であるので、光を拡散させることができ、ディフューザを設ける必要がない。
【００１１】
本発明の他の実施態様においては、前記炭素繊維混抄紙は、前記炭素繊維に加えてガラス繊維を共に混抄したものである。
【００１２】
この実施態様によると、ガラス繊維が混抄されているので、光を均一に拡散させることができる。
【００１３】
また、ガラス繊維は、炭素繊維と編みまたは織ったものを、紙原料に混抄するのが好ましい。
【００１４】
本発明の更に他の実施態様においては、前記蛍光体は、前記炭素繊維混抄紙に塗布されたものである。
【００１５】
この実施態様によれば、陽極の材料が、混抄紙であるので、容易に蛍光体を塗布することができる。
【００１６】
本発明の一実施態様においては、前記蛍光体は、前記紙原料に混合されたものである。
【００１７】
この実施態様によれば、蛍光体の粉末を、紙原料に混合することによって、蛍光体を有する陽極材料を得ることができ、混合割合を適宜選択することによって、発光の色調を容易に調整できる。
【００１８】
本発明の好ましい実施態様においては、前記陽極の材料は、炭素繊維とガラス繊維とを含む混合繊維体である。
【００１９】
この実施態様によると、陽極の材料を、炭素繊維とガラス繊維とを含む混合繊維体としているので、従来のガラス基板などに比べて密度が低くく、電子が衝突した際の発熱も少なくなり、陽極における発熱を低減することができる。さらに、ガラス繊維の混合繊維体であるので、光を拡散させることができ、ディフューザを設ける必要がない。
【００２０】
本発明の一実施態様においては、前記混合繊維体は、前記炭素繊維と前記ガラス繊維とを編むまたは織ったものである。
【００２１】
この実施態様によると、発光や放熱を均一にすることができる。
【００２２】
本発明の他の実施態様においては、前記蛍光体は、前記混合繊維体に塗布されたものである。
【００２３】
この実施態様によれば、陽極の材料が、混合繊維体であるので、容易に蛍光体を塗布することができる。
【発明の効果】
【００２４】
以上のように本発明によれば、陽極材料を、炭素繊維を含む材料、好ましくは、炭素繊維混抄紙としているので、電子放出陰極から放出された電子は、密度の低い混抄紙に衝突するので、その発熱も抑制されるとともに、発熱しても熱伝導性の良好な炭素繊維によって放熱されることになり、陽極における発熱が低減されることになる。
【００２５】
また、混抄紙であるので、発光した光が均一に拡散され、ガラス繊維を含ませることで、拡散が一層促進されるので、ディフューザを省略することができる。
【００２６】
さらに、炭素繊維は、導電性を有しているので、従来のように透明導電膜を形成することなく、炭素繊維を電極として用いることができる。
【発明を実施するための最良の形態】
【００２７】
以下、本発明の実施の形態について図面を参照して詳細に説明する。
【００２８】
（実施の形態１）
図１は、本発明の一つの実施の形態に係る照明装置の概略構成図である。
【００２９】
この実施の形態の照明装置１は、ガラス基板２、側板３および封止板４によって、真空封止されている。
【００３０】
ガラス基板２上には、例えば、カーボンナノチューブなどからなる電子放源５が形成され、電子放出陰極が構成される。この電子放出源５は、面状であるが、本発明の他の実施の形態として、線状であってもよい。
【００３１】
このガラス基板２に対して、側板３によって所定の間隔をもって、本発明に係る陽極６が対向配置されている。
【００３２】
この実施の形態の陽極６は、図２に示されるように、炭素繊維とガラス繊維とを編んだ混合繊維７を紙原料に混抄してなる炭素繊維混抄紙８を材料としており、この炭素繊維混抄紙８に、蛍光体を塗布し、その一端側に電極９を設けて陽極を構成している。
【００３３】
紙原料としては、例えば、木材パルプ、非木材パルプや古紙パルプなどを用いることができる。
【００３４】
炭素繊維およびガラス繊維の太さは、例えば、ミクロンオーダであるのが好ましい。
【００３５】
炭素繊維とガラス繊維との混合の割合は、要求される難燃性、光の拡散性などの度合いに応じて適宜選択される。
【００３６】
蛍光体は、炭素繊維混抄紙８に塗布するのに代えて、その粉末を、予め紙原料に混合し、炭素繊維とガラス繊維とを編んだ混合繊維を混抄するようにしてもよい。この場合には、紙原料に対する蛍光体の粉末の混合割合を適宜調整することによって、発光の際の色調を調整するといったことが可能となる。
【００３７】
この照明装置１では、電子放出陰極と陽極との間に電圧を印加することにより、電子放出源５から放出された電子は、炭素繊維混抄紙８に塗布された蛍光体に衝突し、この衝突によって蛍光体が発光する。
【００３８】
この実施の形態では、陽極６を、炭素繊維混抄紙８で構成しているので、成形が容易であり、また、従来のガラス基板などに比べて密度が低くく、電子が衝突した際の発熱も少なくなり、陽極６における発熱を低減することができる。また、陽極６に衝突して発熱しても熱伝導性の良好な炭素繊維によって放熱されることになり、発熱を一層抑制できることになる。
【００３９】
また、混抄紙、すなわち、紙で構成するので、光を拡散させることができ、しかも、ガラス繊維を含んでいるので、このガラス繊維によって、均一に拡散されることになり、ディフューザを設ける必要がない。
【００４０】
また、炭素繊維は、導電性を有しているので、従来のように透明導電膜（ＩＴＯ）を形成することなく、炭素繊維を電極として用いることができる。
【００４１】
したがって、炭素繊維混抄紙８に含まれる炭素繊維の密度によって、陽極における電極の密度を設計できることになる。
【００４２】
（その他の実施の形態）
上述の実施の形態では、炭素繊維とガラス繊維とを編んだ混合繊維を混抄したけれども、本発明の他の実施の形態として、紙原料に対して炭素繊維のみを混抄してもよい。
【００４３】
上述の実施の形態では、紙原料に炭素繊維を混抄したけれども、本発明の他の実施の形態として、紙原料に混抄することなく、炭素繊維とガラス繊維とを編み、あるいは、織った混合繊維体に蛍光体を塗布して陽極としてもよい。
【００４４】
本発明は、炭素繊維、ガラス繊維に限らず、他の繊維を含ませてもよい。
【００４５】
また、本発明の他の実施の形態として、紙原料に、導電性粒子、例えば、金属粒子を混合してもよい。これによって、導電性および熱伝導性を向上させることができる。
【００４６】
上述の実施の形態では、陰極と陽極とを備える２極構造に適用して説明したけれども、さらに、ゲートを備える３極構造にも同様に適用できるのは勿論である。
【産業上の利用可能性】
【００４７】
本発明は、照明装置として有用である。
【図面の簡単な説明】
【００４８】
【図１】本発明の一つの実施形態の照明装置の概略構成図である。
【図２】図１の陽極を示す図である。
【符号の説明】
【００４９】
１  照明装置    ５  電子放出源  ６  陽極
７  混合繊維    ８  炭素繊維混抄紙
【図１】
2005071682.tif 000003
【図２】
2005071682.tif 000004